(57)【要約】      （修正有）【課題】演習空間の確保が容易で、開けた展望でゴルフボールの飛距離及び落下位置を易しく確認し、ゴルフボールの回収が容易な水上ゴルフ練習場を提供する。【解決手段】水面に浮かぶゴルフボールを打撃し、地上ではない水面上に翔けて落下する飛距離を見ながら練習する水上ゴルフ練習場１０であって、打席３０に対して水面で浮遊する浮標５１ａ、ｂを連結してフェンス５０を形成することによってゴルフボールの回収を容易にする。【選択図】図１
0003222660.tif 000002
【実用新案登録請求の範囲】
【請求項１】
水面又は水面付近の地上に設置され、水上に浮かぶゴルフボールを打撃することができる打席と、前記水上にあるゴルフボールを閉じこめる浮遊フェンスとを含み、
前記浮遊フェンスは、前記打席と向き合う水上に配置される前方浮遊フェンスと、前記打席及び前記前方フェンスの左側又は右側に配置される側方浮遊フェンスと、前記浮遊フェンス及び前記側方浮遊フェンスの位置を維持させるアンカーとを含み、
前記前方浮遊フェンスと側方浮遊フェンスは、多数の浮標と、前記多数の浮標を連結するロープとを含む、水上ゴルフ練習場。
【請求項２】
前記水上には網が設置され、
前記網は前記打席から前方浮遊フェンスに行くほど傾くように形成され、
水中には上方に光を照らす照明灯が設置され、
前記水上には飛距離確認用浮標が設置され、
前記飛距離確認用浮標には照明又は夜光が設けられる、請求項１に記載の水上ゴルフ練習場。
【考案の詳細な説明】
【技術分野】
【０００１】
本考案は水面に浮かぶ、ゴルフボールを打撃し、地上ではない水面上を翔けて落下する飛距離を見ながら練習する水上ゴルフ練習場に係り、より詳しくは打席に対して水面で浮遊する浮標を連結してフェンスを形成することによってゴルフボールの回収が容易な水上ゴルフ練習場に関する。
【背景技術】
【０００２】
ゴルフ練習場は、一般的に芝草を植栽し、こちらにティーショットを主に設置し、フェアウェー、グリーン、バンカーなどを一般ゴルフ場と同様に設置して運営される。このようなゴルフ練習場を設置運営するためには、陸上の場合、山野を切り崩し、実際のゴルフボールの飛距離に当たる場所を確保し、ゴルフボールの飛散を防ぐ網構造、打席が設置されるので、莫大な設置費と運営費がかかっている。
【０００３】
このような問題点にもかかわらず、国民所得の増大と選手の外国での好成績に鼓舞されて徐々にゴルフ人口は増えていく反面、ゴルフが楽しめる空間は限定されている。
【０００４】
特に、陸上に実際のゴルフ場の距離に類似したゴルフ練習場を設置するためには広い敷地を必要とするため高い費用が要求されるとともに、実際距離の練習場の地面には芝草を主に育てているため、各種の農薬、除草剤などの使用によって環境汚染がひどく発生している。
【０００５】
また、ゴルフ練習場の周辺に網がかけられ、視野が開けていないため飛距離に対する痛快さが少なく、敷地面積によってそれ以上飛ぶことができず網にぶつかるため、飛距離が分からずゴルファーが退屈さを感じる。
【先行技術文献】
【特許文献】
【０００６】
【特許文献１】韓国公開実用新案第２０−２００９−００１０７５５号公報
【考案の概要】
【考案が解決しようとする課題】
【０００７】
本考案は前述した問題を解決するために案出されたもので、演習空間の確保がとても容易で、開けた展望でゴルフボールの飛距離及び落下位置を易しく確認することができる水上ゴルフ練習場を提供することにその目的がある。
【課題を解決するための手段】
【０００８】
前述した目的を達成するために、本考案の請求項１に記載された水上ゴルフ練習場は、水面又は水面付近の地上に設置され、水上に浮かぶゴルフボールを打撃することができる打席と、前記水上にあるゴルフボールを閉じこめる浮遊フェンスとを含み、前記浮遊フェンスは、前記打席と向き合う水上に配置される前方浮遊フェンスと、前記打席及び前記前方フェンスの左側又は右側に配置される側方浮遊フェンスと、前記浮遊フェンス及び前記側方浮遊フェンスの位置を維持させるアンカーとを含み、前記前方浮遊フェンスと側方浮遊フェンスは、多数の浮標と、前記多数の浮標を連結するロープとを含む。
【０００９】
本考案の請求項２に記載の水上ゴルフ練習場において、前記水上には網が設置され、前記網は前記打席から前方浮遊フェンスに行くほど傾くように形成され、水中には上方に光を照らす照明灯が設置され、前記水上には飛距離確認用浮標が設置され、前記飛距離確認用浮標には照明又は夜光が設けられる。
【考案の効果】
【００１０】
本考案によれば次のような効果がある。
【００１１】
水面上（水上）にゴルフ演習フィールドが提供されるので、演習場所の確保がとても容易で、開けた場所で練習するので、ストレスを解消しやすいながらも飛距離をひと目でよく見ることができる。
【００１２】
また、水上の打席から前方に行くほど上方に傾くように形成される網を下側にのみ設置すれば良いため、左右側の網がないためゴルフボールが左右に曲がる様子もよく見ることができ、ゴルフボールが網に落ちてそのまま打席側に転がって来るので、ゴルフボールの回収が一層易しい（既存の地上ゴルフ場はその地上面積が狭くて網を設置すると言っても上下及び左右に設置しなければならず、左右側の網はゴルフボールの実際軌跡を制限するため、自分が打撃したゴルフボールの正確な軌跡を確認することができない）。
【００１３】
また、水中に照明が設置されるため、夕方にも水を明るく照らしてゴルフボールが落ちる位置の確認が可能であるので、夜間ゴルフ演習も可能である。
【００１４】
また、水上に飛距離確認用浮標を設置し、その浮標の位置を夜間にも確認することができるように照明又は夜光が設置されている。
【図面の簡単な説明】
【００１５】
【図１】本考案の好適な実施例による水上ゴルフ練習場であって、打席が水上にある水上ゴルフ練習場の平面図である。
【図２】本考案の他の好適な実施例による水上ゴルフ練習場であって、打席が地上にある水上ゴルフ練習場の平面図である。
【図３】本考案の好適な実施例による水上ゴルフ練習場であって、水上に網が設置された水上ゴルフ練習場の側面図である。
【図４】本考案の好適な実施例による水上ゴルフ練習場であって、前後方中心線に沿って浮標が取り付けられている水上ゴルフ練習場の平面図である。
【考案を実施するための形態】
【００１６】
以下、本考案の好適な実施例を添付図面に基づいて説明する。
【００１７】
図１は本考案の好適な実施例による水上ゴルフ練習場であって、打席が水上にある水上ゴルフ練習場の平面図、図２は本考案の他の好適な実施例による水上ゴルフ練習場であって、打席が地上にある水上ゴルフ練習場の平面図、図３は本考案の好適な実施例による水上ゴルフ練習場であって、水上に網が設置された水上ゴルフ練習場の側面図、図４は本考案の好適な実施例による水上ゴルフ練習場であって、前後方中心線に沿って浮標が取り付けられている水上ゴルフ練習場の平面図である。
【００１８】
図１に示す水上ゴルフ練習場１０は、水面Ｇに浮かんでいる打席３０と、ゴルフボールを閉じこめるフェンス５０とを含んでなる。
【００１９】
打席３０は、水上に浮かぶことができる発泡スチロールなどの浮遊板上に人工芝草板などを付着したものが使われる。
【００２０】
また、打席３０には水底に固定されるアンカー（図示せず）が設置されるか、後述するフェンス５０に固定されることにより、水上の打席が他の位置に動くことを最小化させる。
【００２１】
フェンス５０は水面に一種のフィールドを区画する大きさに配置されている。
【００２２】
したがって、打席３０とフェンス５０の内部には一種の地上フィールドのような水面フィールドが形成される。
【００２３】
フェンス５０は、打席３０と向き合う前方浮遊フェンス５０ａと、前方浮遊フェンス５０ａの左右側と打席３０の間に配置される側方浮遊フェンス５０ｂと、前方浮遊フェンス５０ａと側方浮遊フェンス５０ｂの形状を維持させるアンカー部５０ｃからなる。
【００２４】
前方及び側方浮遊フェンス５０ａ、５０ｂは、円筒状のフェンス浮標５１ａ、５１ｂと、フェンス浮標５１ａ、５１ｂを連結するロープ５３ａ、５３ｂからなる。
【００２５】
ロープ５３ａ、５３ｂはワイヤ又はプラスチックロープなどから具現可能である。
【００２６】
アンカー部５０ｃは打席３０と前方及び側方浮遊フェンス５０ａ、５０ｂによってなる四角形を維持するコーナー用ポストであり、前方側左右アンカー部５０ｃ’と後方側左右アンカー部５０ｃ”からなる。
【００２７】
アンカー部５０ｃのそれぞれは、棒５１ｃと、該棒５１ｃにぶら下がる浮標５３ｃと、棒５１ｃの下端に取り付けられるアンカー（図示せず）からなることができる。
【００２８】
アンカー（図示せず）は爪のようなもので、船舶が停泊するときに使うものと同じ形状のものであり、水深の深い場合に使う。
【００２９】
水深の浅い場合には、水に動かず引き上げやすい程度の重さで、石塊より小さな石ころなどをぶら下げて水底に触れるようにすれば良い。
【００３０】
このようなアンカー部５０ｃの構成によって、打席３０とロープ５３ａ、５３ｂは棒５１ｃ又は浮標５３ｃに連結されることができる。
【００３１】
また、図４のように、飛距離を定量的に確認するために、水上に飛距離確認用浮標９０又は旗を多数浮かべておくことができる。
【００３２】
飛距離確認浮標９０は各飛距離に設置すれば良い。図４のように浮標９０の間に紐で連結することができ、あるいは水底に突き立てた形態でも良い。
【００３３】
もちろん、飛距離確認浮標９０にはＬＥＤのような照明（図示せず）を設けるか夜光テープ（図示せず）を巻くことによって夜間にも飛距離を容易に確認することができる。
【００３４】
また、水中には上方に光を照らす照明灯（図示せず）が設けられることで、夕方にも水上を明るく照らしてゴルフボールが落ちる位置を確認することができ、夜間ゴルフ演習も可能である。
【００３５】
この照明灯（図示せず）も飛距離確認浮標９０と同様に前方から後方に向かって直線状に配列されることが好ましい。
【００３６】
練習したゴルフボールは波又は風などによって一方に集まって来るので、フェンス５０にかかり集めることができる。
【００３７】
また、図３のように水上に前方から後方に行くほど網７０が上がるように斜めに設置しても良い。
【００３８】
水上は地上よりその範囲が広いため底側にのみ網７０が配設されても良いため、既存の地上ゴルフ練習場のような左右側の網が不要であり、ゴルフボールの軌跡を実際のゴルフ場のように具現する効果を得ることができる。
【００３９】
また、網７０が傾いているので、ゴルフボールが落ちれば自動で傾斜面に沿って打席３０側に転がって落ちるので、ゴルフボールの収集がとても易しい。
【００４０】
一方、図２の水上ゴルフ練習場１０’は、打席３０’が水辺の地上Ｇに配置されている点に違いがあるのみで、図１の水上ゴルフ練習場１０とその構造及び機能が同一である。
【００４１】
ただ、打席３０’が地上Ｇにあるため、後方側左右アンカー部５０ｃ”は打席３０’又は地上Ｇに連結固定されることができる。
【００４２】
図１及び図２で側方浮遊フェンス５０ｂが左右側にあるものとして説明したものは湖、貯水池、川、海などを対象としたものである。
【００４３】
例えば、水流がある川などでは水の流れを阻む方向である左側又は右側にのみ側方浮遊フェンス５０ｂを置いても十分である。
【００４４】
前述したように、本考案の好適な実施例を参照して説明したが、当該技術分野の当業者は下記の特許請求範囲に記載された本考案の思想及び領域から逸脱しない範疇内で本考案を多様に修正又は変形して実施することができる。
【符号の説明】
【００４５】
１０、１０’  水上ゴルフ練習場
３０、３０’  打席
５０  浮遊フェンス
５０ａ、５０ｂ  前方、側方浮遊フェンス
５１ａ、５１ｂ  フェンス浮標
５１ｃ  ロープ
５０ｃ  アンカー部
５１ｃ  棒
５３ｃ  浮標
７０  網
９０  飛距離確認用浮標
【図１】
0003222660.tif 000003
【図２】
0003222660.tif 000004
【図３】
0003222660.tif 000005
【図４】
0003222660.tif 000006